(57)【特許請求の範囲】
【請求項１】
電子基板に設けられたジャンパーピンを短絡するための電子基板用ジャンパー治具であって、
絶縁体により構成された外装筒と、
前記外装筒に挿入された棒部材と、
前記棒部材の先端に取り付けられた輪状短絡部材と、
前記外装筒の後端と前記棒部材の後端との間に設けられて、前記棒部材の後端を前記外装筒の後端から引き離す方向に前記棒部材を付勢する付勢部材と、
前記輪状短絡部材の内側を通過するように前記外装筒の先端に取り付けられ、前記棒部材の後端を前記外装筒の後端から引き離す方向への前記棒部材の変位を前記輪状短絡部材との係合により規制する規制体と
を備え、
前記棒部材の後端が前記外装筒の後端に近づけられることで前記外装筒の先端から突出された前記輪状短絡部材の内側に前記ジャンパーピンを挿入して前記ジャンパーピンを短絡させることができるように構成され、
前記規制体は、先端部及び後端部を含む導電体により構成され、
前記規制体の前記後端部の幅は、前記規制体の前記先端部の幅よりも広く、且つ前記規制体が内側に挿通されていないときの前記輪状短絡部材の幅よりも広く構成され、
前記規制体の前記先端部は、前記外装筒の先端から突出した位置に設けられている
ことを特徴とする電子基板用ジャンパー治具。
【請求項２】
前記輪状短絡部材及び前記規制体は、メッキ縒り線により構成されている
ことを特徴とする請求項１に記載の電子基板用ジャンパー治具。
【発明の詳細な説明】
【技術分野】
【０００１】
本発明は、電子基板に設けられたジャンパーピンを短絡するための電子基板用ジャンパー治具に関するものである。
【背景技術】
【０００２】
例えば下記の特許文献１等に記載されているように、電子基板の設定を変更するためのジャンパーピンが電子基板に設けられることがある。複数の電子基板が重ねて配置されている場合、一般に、ジャンパーピンを短絡する電子基板を露出させるように他の電子基板を取り外した上で、ジャンパーピンの短絡が行われる。
【先行技術文献】
【特許文献】
【０００３】
【特許文献１】特開２０１０−２６８６３５号公報
【発明の概要】
【発明が解決しようとする課題】
【０００４】
例えば電子基板の動作を確認する場合や、電子基板のメモリに記録されているプログラムを変更する場合等、ジャンパーピンを一時的に短絡すればよい場合、電子基板の着脱を回避できると、作業効率が良くなるとともに、製品の品質低下を回避することができる。しかしながら、ジャンパーピンを短絡するための短絡部材を多段配置された複数の電子基板の間に挿入した場合、短絡部材が電子基板上の他の素子に接触することにより、素子の異常を招くおそれがある。
【０００５】
本発明は、上記のような課題を解決するためになされたものであり、その目的は、短絡部材が電子基板上の他の素子に接触するおそれを低減しつつ、多段配置された電子基板の着脱の必要性を少なくできる電子基板用ジャンパー治具を提供することである。
【課題を解決するための手段】
【０００６】
本発明に係る電子基板用ジャンパー治具は、電子基板に設けられたジャンパーピンを短絡するための電子基板用ジャンパー治具であって、絶縁体により構成された外装筒と、外装筒に挿入された棒部材と、棒部材の先端に取り付けられた輪状短絡部材と、外装筒の後端と棒部材の後端との間に設けられて、棒部材の後端を外装筒の後端から引き離す方向に棒部材を付勢する付勢部材と、輪状短絡部材の内側を通過するように外装筒の先端に取り付けられ、棒部材の後端を外装筒の後端から引き離す方向への棒部材の変位を輪状短絡部材との係合により規制する規制体とを備え、棒部材の後端が外装筒の後端に近づけられることで外装筒の先端から突出された輪状短絡部材の内側にジャンパーピンを挿入してジャンパーピンを短絡させることができるように構成され、規制体は、先端部及び後端部を含む導電体により構成され、規制体の後端部の幅は、規制体の先端部の幅よりも広く、且つ規制体が内側に挿通されていないときの輪状短絡部材の幅よりも広く構成され、規制体の先端部は、外装筒の先端から突出した位置に設けられている。
【発明の効果】
【０００７】
本発明の電子基板用ジャンパー治具によれば、棒部材の後端が外装筒の後端に近づけられることで外装筒の先端から突出された輪状短絡部材の内側にジャンパーピンを挿入してジャンパーピンを短絡させることができるように構成されているので、短絡部材が電子基板上の他の素子に接触するおそれを低減しつつ、多段配置された電子基板の着脱の必要性を少なくできる。
【図面の簡単な説明】
【０００８】
【図１】本発明の実施の形態による電子基板用ジャンパー治具の構成を示す説明図である。
【図２】図１の電子基板用ジャンパー治具が使用される電子基板組立体を示す斜視図である。
【図３】図２の外装筒の先端から輪状短絡部材が突出された状態を示す説明図である。
【図４】図３の輪状短絡部材にジャンパーピンを挿入した後の輪状短絡部材の状態を示す説明図である。
【発明を実施するための形態】
【０００９】
以下、本発明を実施するための形態について、図面を参照して説明する。
図１は、本発明の実施の形態による電子基板用ジャンパー治具１の構成を示す説明図である。なお、図１の（ａ）は電子基板用ジャンパー治具１の正面図であり、図１の（ｂ）は電子基板用ジャンパー治具１の底面図である。
【００１０】
図１において、電子基板用ジャンパー治具１は、外装筒１０、棒部材１１、付勢部材１２、輪状短絡部材１３及び規制体１４を有している。
【００１１】
外装筒１０は、絶縁体により構成された筒状部材である。棒部材１１は、外装筒１０に挿入された棒状の部材である。外装筒１０及び棒部材１１の後端には、フランジ１０ａ，１１ａがそれぞれ設けられている。
【００１２】
付勢部材１２は、外装筒１０の後端と棒部材１１の後端との間、具体的には外装筒１０及び棒部材１１のフランジ１０ａ，１１ａの間に設けられている。付勢部材１２は、棒部材１１の後端を外装筒１０の後端から引き離す方向１２ａに棒部材１１を付勢している。
【００１３】
輪状短絡部材１３は、棒部材１１の先端に取り付けられた輪状の導電体である。棒部材１１の先端に対する輪状短絡部材１３の取り付け方法は任意であるが、例えば輪状短絡部材１３を構成する導電体を棒部材１１の先端に設けられた貫通穴に挿入して、この導電体の端部を捩る等の方法を採ることができる。本実施の形態では、輪状短絡部材１３は、複数のメッキ金属線が縒り合されたメッキ縒り線によって構成されている。このように輪状短絡部材１３をメッキ縒り線によって構成することで、輪状短絡部材１３が弾性を有するようにしている。
【００１４】
規制体１４は、輪状短絡部材１３の内側を通過するように外装筒１０の先端に取り付けられた部材である。外装筒１０の先端に対する規制体１４の取り付け方法は任意であるが、例えば棒部材１１及び輪状短絡部材１３が外装筒１０に挿入されているときに、規制体１４を構成する部材を外装筒１０の先端に設けられた貫通穴に挿通する等の方法を採ることができる。この規制体１４が輪状短絡部材１３と係合することにより、棒部材１１の後端を外装筒１０の後端から引き離す方向１２ａへの棒部材１１の変位が規制されている。
【００１５】
本実施の形態では、規制体１４は導電体により構成されている。より具体的には、規制体１４は、上述の輪状短絡部材１３と同様に弾性を得るために、メッキ縒り線によって構成されている。規制体１４の幅１４ａは、規制体１４が内側に挿通されていないときの輪状短絡部材１３の幅よりも広くされている。このため、輪状短絡部材１３は、規制体１４によって拡げられた状態とされており、規制体１４の幅方向に関して規制体１４と接触されている。規制体１４の先端は、外装筒１０の先端から突出した位置に設けられている。
【００１６】
次に、図２〜図４を用いて電子基板用ジャンパー治具１の使用方法を説明する。図２は、図１の電子基板用ジャンパー治具１が使用される電子基板組立体２を示す斜視図である。図３は、図２の外装筒１０の先端から輪状短絡部材１３が突出された状態を示す説明図である。図４は、図３の輪状短絡部材１３にジャンパーピン２０を挿入した後の輪状短絡部材１３の状態を示す説明図である。
【００１７】
図２に示す電子基板組立体２は、第１及び第２電気基板２Ｄ，２Ｕが多段配置されたものである。すなわち、第１電気基板２Ｄの上方にスペーサ２ａを介して第２電気基板２Ｕが重ねて配置されている。第１電気基板２Ｄには、第１電気基板２Ｄの設定を変更するためのジャンパーピン２０が設けられている。
【００１８】
第１電気基板２Ｄのジャンパーピン２０を短絡する場合、図２に示すように、外装筒１０内に輪状短絡部材１３を収めた状態で第１電気基板２Ｄと第２電気基板２Ｕとの間に電子基板用ジャンパー治具１の先端を挿入する。本実施の形態の電子基板用ジャンパー治具１では、付勢部材１２が棒部材１１を付勢しているので、棒部材１１の後端が押圧されなければ、輪状短絡部材１３の大部分が外装筒１０内に収められた状態となる。
【００１９】
電子基板用ジャンパー治具１の先端がジャンパーピン２０の近傍に位置するまで電子基板用ジャンパー治具１を挿入した後に、棒部材１１の後端を押圧して、棒部材１１の後端を外装筒１０の後端に近づける。これにより、図３に示すように外装筒１０の先端から輪状短絡部材１３が突出される。本実施の形態の電子基板用ジャンパー治具１では、規制体１４が内側に挿通されていないときの輪状短絡部材１３の幅よりも規制体１４の幅１４ａが広くされていることで、規制体１４によって拡げられながら輪状短絡部材１３が外装筒１０の先端から突出される。
【００２０】
その次に、図４に示すように輪状短絡部材１３の内側にジャンパーピン２０を挿入してジャンパーピン２０を短絡させる。本実施の形態の電子基板用ジャンパー治具１では、規制体１４が導電体により構成され、規制体１４が内側に挿通されていないときの輪状短絡部材１３の幅よりも規制体１４の幅が広くされ、外装筒１０の先端から突出した位置に規制体１４の先端が設けられているので、棒部材１１の後端の押圧を解除して輪状短絡部材１３と規制体１４とによりジャンパーピン２０を挟持することで、ジャンパーピン２０を短絡することができる。
【００２１】
このような電子基板用ジャンパー治具１では、棒部材１１の後端が外装筒１０の後端に近づけられることで外装筒１０の先端から突出された輪状短絡部材１３の内側にジャンパーピン２０を挿入してジャンパーピン２０を短絡させることができるように構成されているので、短絡部材が電子基板上の他の素子に接触するおそれを低減しつつ、多段配置された電子基板の着脱の必要性を少なくできる。
【００２２】
また、棒部材１１の後端を外装筒１０の後端から引き離す方向１２ａに付勢部材１２が棒部材１１を付勢し、棒部材１１の後端を外装筒１０の後端から引き離す方向１２ａへの棒部材１１の変位を輪状短絡部材１３との係合により規制体１４が規制するので、付勢部材１２の力に逆らうように棒部材１１の後端を押圧しない限り、輪状短絡部材１３を外装筒１０内に収めておくことができる。これにより、短絡部材が電子基板上の他の素子に接触するおそれをより確実に低減できる。
【００２３】
さらに、導電体により規制体１４が構成され、規制体１４が内側に挿通されていないときの輪状短絡部材１３の幅よりも規制体１４の幅が広くされ、外装筒１０の先端から突出した位置に規制体１４の先端が設けられているので、輪状短絡部材１３と規制体１４とによりジャンパーピン２０を挟持させることでジャンパーピン２０を短絡させることができ、ジャンパーピン２０をより確実に短絡することができる。
【００２４】
輪状短絡部材１３及び規制体１４がメッキ縒り線により構成されているので、輪状短絡部材１３及び規制体１４に弾性を付与することができ、輪状短絡部材１３と規制体１４とによりジャンパーピン２０を挟持した際の輪状短絡部材１３及び規制体１４とジャンパーピン２０との接触をより確実に確保することができる。
【００２５】
なお、実施の形態では輪状短絡部材１３及び規制体１４がメッキ縒り線により構成されていると説明したが、輪状短絡部材及び規制体はメッキ金属の単線や金属帯等の他の導電体により構成してもよい。
【００２６】
また、実施の形態の形態では輪状短絡部材１３及び規制体１４によってジャンパーピン２０を挟持することでジャンパーピン２０を短絡するように説明しているが、輪状短絡部材のみで短絡する構成をとってもよい。
【００２７】
さらに、実施の形態では付勢部材１２及び規制体１４を設けるように説明しているが、これら付勢部材及び規制体を省略してもよい。
【符号の説明】
【００２８】
１  電子基板用ジャンパー治具
１０  外装筒
１１  棒部材
１２  付勢部材
１３  輪状短絡部材
１４  規制体
２Ｄ，２Ｕ  電気基板
２０  ジャンパーピン
【図１】
0006435469.tif 000002
【図２】
0006435469.tif 000003
【図３】
0006435469.tif 000004
【図４】
0006435469.tif 000005